(57)【要約】  １ＧＨｚ〜２ＧＨｚの周波数帯において、円偏波の受信帯域幅を改善するガラスアンテナを提供する。ガラスアンテナは、芯線側給電部と、前記芯線側給電部と隣接して配置されるアース側給電部と、前記アース側給電部から延伸する第一エレメントと、第一線条と、前記第一線条と平行又は略平行の第二線条と、前記第一線条と前記第二線条とを結ぶ第三線条とで形成された無給電エレメントと、を備え、前記無給電エレメントは、前記芯線側給電部と前記アース側給電部に隣接している前記金属ボディ部の縁と前記第三線条との間で、前記芯線側給電部と前記アース側給電部を囲み、前記無給電エレメントと、前記第一エレメントとの間には、前記無給電エレメントと、前記第一エレメントとが前記周波数帯内の任意周波数帯の電波を共振するように空白部が設けられている。
2019225321.tif 000002
【特許請求の範囲】
【請求項１】
車両用窓ガラスに設けられる、１〜２ＧＨｚの周波数帯内の任意周波数帯の円偏波を受信するための、車両の金属ボディ部をアンテナエレメントとして含むガラスアンテナであって、
芯線側給電部と、
前記芯線側給電部と隣接して配置されるアース側給電部と、
前記アース側給電部から延伸する第一エレメントと、
第一線条と、前記第一線条と平行又は略平行の第二線条と、前記第一線条と前記第二線条とを結ぶ第三線条とで形成された無給電エレメントと、を備え、
前記無給電エレメントは、前記芯線側給電部と前記アース側給電部に隣接している前記金属ボディ部の縁と前記第三線条との間で、前記芯線側給電部と前記アース側給電部を囲み、
さらには、前記芯線側給電部は、前記第一線条と、前記第三線条と、前記第一エレメントと、前記アース側給電部と、前記金属ボディ部の縁で囲われた領域内に位置し、
前記無給電エレメントと、前記第一エレメントとの間には、前記無給電エレメントと、前記第一エレメントとが前記周波数帯内の任意周波数帯の電波を共振するように空白部が設けられており、
前記窓ガラスが前記車両に設置された際には、
前記第一線条の、前記第三線条と離隔する側の第一先端は、前記金属ボディ部と前記周波数帯内の任意周波数帯の電波を共振する位置関係となるように、前記金属ボディ部の縁と、前記車両用窓ガラスの面内方向に空白部を介して配置され、
前記第二線条の、前記第三線条と離隔する側の第二先端は、前記金属ボディ部の縁と、前記車両用窓ガラスの面内方向に空白部を設けない位置に配置され、または、前記金属ボディ部と前記周波数帯内の任意周波数帯の電波を共振する位置関係となるように、前記金属ボディ部の縁と、前記車両用窓ガラスの面内方向に空白部を介して配置され、
前記アース側給電部は、前記車両の金属ボディ部との間には、前記アース側給電部と前記車両の金属ボディ部とが前記周波数帯内の任意周波数帯の電波を共振するように空白部が設けられていることを特徴とするガラスアンテナ。
【請求項２】
前記第一エレメントは、前記第三線条に向かって延伸し、前記第一エレメントの開放端と無給電エレメントとの間に空白部が設けられていることを特徴とする請求項１に記載のガラスアンテナ。
【請求項３】
前記第一エレメントと、前記無給電エレメントとを、前記周波数帯内の任意周波数帯の電波が共振される位置関係としたことを特徴とする請求項１又は２に記載のガラスアンテナ。
【請求項４】
前記芯線側給電部から延伸する第二エレメントを備え、前記第二エレメントは、前記無給電素子と、前記金属ボディ部とは、前記周波数帯内の電波を共振しない位置関係にあることを特徴とする請求項１乃至３のいずれかに記載のガラスアンテナ。
【請求項５】
前記無給電エレメントにおいて、
前記第一線線条と前記三線条とが接続する第一接続点と、前記第二線線条と前記三線条とが接続する第二接続点との最短距離（ＩＩＩ）が（０．５×λ(2)×α）×Ａの±２５％であり、
前記第一接続点と前記金属ボディ部との最短距離（Ｉ）と、前記第二接続点と前記金属ボディ部との最短距離（ＩＩ）は、（０．２５×λ(2)×α）〜（０．５×λ(1)×α）である
（但し、αはガラスの波長短縮率で０．７であり、λ(1)とλ(2)とは、前記周波数帯内の自由空間内の任意波長で、λ(1)＞λ(2)、Ａは１〜３のいずれかの整数とする）
ことを特徴とする請求項１乃至４のいずれかに記載のガラスアンテナ。
【請求項６】
前記第一接続点と、前記第二接続点との最短距離（ＩＩＩ）と、前記第一接続点と前記金属ボディ部との最短距離（Ｉ）と、前記第二接続点と前記金属ボディ部との最短距離（ＩＩ）との関係において、（Ｉ）＋（ＩＩ）＞（ＩＩＩ）であることを特徴とする請求項１乃至５のいずれかに記載のガラスアンテナ。
【請求項７】
前記無給電エレメントは、前記第一線条、第二線条、第三線条内に、屈曲した迂回線条を備え、
前記迂回線条の始点と終点は、前記第一接続点と、前記第二接続点との最短距離（ＩＩＩ）と、前記第一接続点と前記第一先端との最短距離（Ｉ’）と、前記第二接続点と前記第二先端との最短距離（ＩＩ’）ルート上にあり、
前記始点と、前記終点とは、最短距離において、前記周波数帯内の任意周波数帯の電波を共振できる位置関係にあることを特徴とする請求項1乃至６の何れかに記載のガラスアンテナ。
【請求項８】
前記窓ガラスが前記車両に設置された際には、前記第一先端と、前記第二先端の双方が、前記金属ボディ部と前記周波数帯内の任意周波数帯の電波を共振する位置関係となるように、前記車両用窓ガラスの面内方向に空白部を介して配置されていることを特徴とする請求項１乃至７のいずれかに記載のガラスアンテナ。
【請求項９】
請求項１乃至８のいずれかに記載のガラスアンテナを備える、車両用窓ガラス構造。
【発明の詳細な説明】
【技術分野】
【０００１】
本発明は、１ＧＨｚ〜２ＧＨｚの周波数帯の円偏波を受信するためのガラスアンテナに関する。
【背景技術】
【０００２】
自動車などの車両には、ＧＰＳなどの衛星測位システムが利用されている。当システムでは、ＧＰＳ衛星からのＬ１（１．５７５ＧＨｚ）の周波数帯域の円偏波を受信できるアンテナが必要となる。そのような円偏波を受信するガラスアンテナ例として、特許文献１に示されているような、ループアンテナと、無給電素子と、これらを取り囲んで配置された導体とからなる、全体形状として矩形状を呈するようなガラスアンテナが知られている。【０００３】
また、近年では、より高精度な測位システムの実現のため、複数の衛星測位システムの利用、すなわち、複数の周波数帯の円偏波の利用がなされている。例えば、特許文献２には、ＧＰＳ衛星を利用した第１の測位方式と、ＧＬＯＮＡＳＳ衛星を利用した第２の測位方式とに対応したアンテナを含むシステムが例示されている。
【先行技術文献】
【特許文献】
【０００４】
【特許文献１】特開２００９−１１８２６８号公報
【特許文献２】特開２０１６−２０５８８１号公報
【発明の概要】
【発明が解決しようとする課題】
【０００５】
複数の周波数帯の円偏波を利用する、衛星測位システムを車両で実現するために、それぞれの周波数帯に対応するアンテナを準備することは、車両内にアンテナを設置できるスペースには限りがあることから現実的ではない。そのため、１ＧＨｚ〜２ＧＨｚの周波数帯内で、円偏波を複数受信できるガラスアンテナの提供は、そのような衛星測位システムを車両で実現するのに有用である。【０００６】
よって、本発明は、１ＧＨｚ〜２ＧＨｚの周波数帯において、複数の任意周波数帯の円偏波を受信できるように、円偏波の受信帯域幅が改善されたガラスアンテナを提供することを目的とする。
【課題を解決するための手段】
【０００７】
本発明の一態様に係るガラスアンテナは、車両用窓ガラスに設けられる、１〜２ＧＨｚの周波数帯内の任意周波数帯の円偏波を受信するための、車両の金属ボディ部をアンテナエレメントとして含むガラスアンテナであって、
芯線側給電部と、
前記芯線側給電部と隣接して配置されるアース側給電部と、
前記アース側給電部から延伸する第一エレメントと、
第一線条と、前記第一線条と平行又は略平行の第二線条と、前記第一線条と前記第二線条とを結ぶ第三線条とで形成された無給電エレメントと、を備え、
前記無給電エレメントは、前記芯線側給電部と前記アース側給電部に隣接している前記金属ボディ部の縁と前記第三線条との間で、前記芯線側給電部と前記アース側給電部を囲み、
さらには、前記芯線側給電部は、前記第一線条と、前記第三線条と、前記第一エレメントと、前記アース側給電部と、前記金属ボディ部の縁で囲われた領域内に位置し、
前記無給電エレメントと、前記第一エレメントとの間には、前記無給電エレメントと、前記第一エレメントとが前記周波数帯内の任意周波数帯の電波を共振するように空白部が設けられており、
前記窓ガラスが前記車両に設置された際には、
前記第一線条の、前記第三線条と離隔する側の第一先端は、前記金属ボディ部と前記周波数帯内の任意周波数帯の電波を共振する位置関係となるように、前記金属ボディ部の縁と、前記車両用窓ガラスの面内方向に空白部を介して配置され、
前記第二線条の、前記第三線条と離隔する側の第二先端は、前記金属ボディ部の縁と、前記車両用窓ガラスの面内方向に空白部を設けない位置に配置され、または、前記金属ボディ部と前記周波数帯内の任意周波数帯の電波を共振する位置関係となるように、前記金属ボディ部の縁と、前記車両用窓ガラスの面内方向に空白部を介して配置され、
前記アース側給電部は、前記車両の金属ボディ部との間には、前記アース側給電部と前記車両の金属ボディ部とが前記周波数帯内の任意周波数帯の電波を共振するように空白部が設けられていることを特徴とするものである。【０００８】
前記ガラスアンテナでは、円偏波を受信するルートを、少なくとも３個設けることができる。
第一ルートは、「アース側給電部 → 第一エレメント → 第一エレメントと無給電エレメントとの間の空白部 → 無給電エレメント → 無給電エレメントの第一先端と金属ボディ部との間の空白部 → 金属ボディ部 → 金属ボディ部とアース側給電部との間の空白部 → アース側給電部」である。
また、第二ルートは、「アース側給電部 → 第一エレメント → 第一エレメントと無給電エレメントとの間の空白部 → 無給電エレメント → 無給電エレメントの第二先端 → 金属ボディ部 → 金属ボディ部とアース側給電部との間の空白部 → アース側給電部」である。
そして、第三ルートは、「アース側給電部 → 金属ボディ部とアース側給電部との間の空白部 → 金属ボディ部 → 無給電エレメントの第二先端 → 無給電エレメント → 無給電エレメントの第一先端と金属ボディ部との間の空白部 → 金属ボディ部 → 金属ボディ部とアース側給電部との間の空白部 → アース側給電部」である。
前記の第一から第三ルートにおいて、前記第一先端と前記金属ボディ部との間には空白部があり、前記第二先端と前記金属ボディ部との間には、空白部があるか、直接的に接合するかのルートとなる。【０００９】
各ルートは、円偏波の旋回方向に合せて、前記矢印（→）の順方向、逆方向のいずれかのルートで電気信号が流れる。前記アース側給電部と、前記芯線側給電部とには、コネクターなどを通じて配線が接合される。アンプや、ナビゲーションシステムなどのための機器と接合する芯線側の配線は、前記芯線側給電部と接合される。前記電気信号は、前記コネクター内で、芯線側のエレメントに高周波的に結合される、又は、前記アース側給電部から芯線側給電部に高周波的に結合されるなどによって、前記電気信号は、前記機器へと伝達される。【００１０】
第三ルートは、第一、第二ルートよりも、低い周波数に対応できるので、１〜２ＧＨｚの周波数帯での低周波数域の電波の受信に奏功する。第一、第二ルートは、第三ルートよりは、高い周波数に対応できるので、１〜２ＧＨｚの周波数帯での高周波数域の電波の受信に奏功する。【００１１】
また、各ルートでの空白部は、１〜２ＧＨｚの波数帯内の、所望の電波が共振できる程度の間隔が設けられる。前記間隔は、複数の任意周波数帯の円偏波を受信の設計を容易とするので、複数の任意周波数帯の円偏波の受信感度を高いものとできる。【００１２】
以上から、本発明の一態様に係るガラスアンテナは、複数の周波数帯の円偏波を効率よく受信することができると考えられる。
これを考慮すると、前記第一先端と、前記第二先端の双方が、前記金属ボディ部と前記周波数帯内の任意周波数帯の電波を共振する位置関係となるように配置されていること、すなわち、前記第一先端と前記金属ボディ部との間、前記第二先端と前記金属ボディ部との間の双方は前記車両用窓ガラスの面内方向に空白部を備えていることが好ましい。【００１３】
また、本発明の他の態様は、前記ガラスアンテナを備える、車両用窓ガラス構造である。この車両用窓ガラス構造は、前記車両用窓ガラス、前記金属ボディ部、そして、前記ガラスアンテナを備えるもので、前記窓ガラスの周縁部は、前記金属ボディ部と接着剤で接合されて、該ガラス構造が形成される。
【発明の効果】
【００１４】
本発明のガラスアンテナは、１ＧＨｚ〜２ＧＨｚの周波数帯において、円偏波の受信帯域幅を改善する。そのため、複数の衛星測位システムを利用しての車両での測位システムに好適に使用できる。さらには、１．５７５ＧＨｚの周波数帯域の円偏波を感度良く受信しやすいので、本発明のガラスアンテナは、特にはＧＰＳ衛星からのＬ１周波数帯域を利用する、複数の衛星測位システムを利用しての車両での測位システムに好適に使用できる。
【図面の簡単な説明】
【００１５】
【図１】本発明のガラスアンテナの典型例につき、その要部を説明する図である。
【図２】本発明のガラスアンテナが備える空白部の定義を説明するための図である。
【図３】無給電エレメントの派生例を示す図である。
【図４】実施例２の無給電エレメントの迂回線条の大きさを説明する図である。
【図５】実施例１、比較例１、３のガラスアンテナの受信特性を示す図である。
【図６】実施例２、比較例２のガラスアンテナの受信特性を示す図である。
【図７】実施例１、３のガラスアンテナの受信特性を示す図である。
【発明を実施するための形態】
【００１６】
本発明の実施形態に係るガラスアンテナ１の詳細を、図面を用いて説明する。図１は、本発明のガラスアンテナ１の典型例につき、その要部を説明する図である。図１は、ガラスアンテナ１をフロントガラスに設けた場合に室外側から目視したときの態様を示すもので、図１の左側の金属ボディ部７の縁の縦辺は、室外側からみて左側のＡピラーに相当するものでもある。図１の典型例の他に、前記金属ボディ部７の縁７１（図１では縦辺で表されている）は、室外側からみて右側のＡピラーが適用されてもよいし、車両用窓ガラス２の上辺又は下辺側に配置される、窓枠部の金属体が適用されてもよい。また、図１のガラスアンテナ１は、室内側からみて、右回りの円偏波を受信するのに好適である。室内側からみて、左回りの円偏波を受信する場合は、図１のガラスアンテナを基準にして、上下反転させるようにしてパターンを形成するとよい。
【００１７】
前記ガラスアンテナ１は、車両用窓ガラス２に設けられる、１〜２ＧＨｚの周波数帯の円偏波を受信するためのものである。前記ガラスアンテナ１は、前記金属ボディ部７をアンテナエレメントとして含み、
芯線側給電部３と、
前記芯線側給電部３と隣接して配置されるアース側給電部４と、
前記アース側給電部４から延伸する第一エレメント５と、
第一線条６１と、前記第一線条と平行又は略平行の第二線条６２と、前記第一線条６１と前記第二線条６２とを結ぶ第三線条６３とで形成された無給電エレメント６と、を備える。
前記無給電エレメント６は、前記芯線側給電部３と前記アース側給電部４に隣接している前記金属ボディ部７の縁と前記第三線条６３との間で、前記芯線側給電部３と前記アース側給電部４を囲み、さらには、前記芯線側給電部は、前記第一線条と、前記第三線条と、前記第一エレメントと、前記アース側給電部と、前記金属ボディ部の縁７１で囲われた領域内に位置している。図１においては、無給電エレメント６は室外側から窓ガラス方向を見たときにコ字状に形成されている。
【００１８】
前記芯線側給電部３と前記アース側給電部４との関係において、「隣接」とは、コネクターの芯線側端子と、アース側端子とが、それぞれに対応した給電部３、４に接合できる程度の距離、又は、前記ガラスアンテナ１を流れる電気信号が、一方の給電部から、他方の給電部に高周波的に結合できる距離であることが好ましい。例えば、前記芯線側給電部３と前記アース側給電部４の各給電部の面積を１５〜１００ｍｍ2とした場合に、その間隔は、３ｍｍ〜１０ｍｍとしてもよい。また、前記芯線側給電部３と前記アース側給電部４の配列方向は、前記縁７１と平行または略平行としてもよい。
【００１９】
前記無給電エレメント６と、前記第一エレメント５とは、前記周波数帯の任意の電波を共振する位置関係となるように、無給電エレメント６との間には、空白部９４が設けられる。前記空白部９４は、高周波的に結合するという理由から、第一エレメント５の開放端５１１と、無給電エレメント６とで形成されることが好ましい。また、前記空白部９４の長さは、前記周波数帯の電波を共振できるように、１ｍｍ〜λ(1)×０．５×α（ここで、λ(1)は、前記周波数帯内の自由空間内の任意波長を表し、αはガラスの波長短縮率を表し、αは０．７として扱われる）の範囲内で調整することができる。
【００２０】
尚、本実施形態のガラスアンテナが備える各種空白部の定義を、図２を用いて説明する。図２は、本実施形態のガラスアンテナが備える空白部の定義を説明するための図であり、空白部の典型として、空白部９４が用いられている。空白部とは、図２の破線のようにアンテナエレメントと、そのアンテナエレメントと最近接するアンテナエレメントと間のアンテナエレメントが存在しない部位であり、空白部の長さは、図２の破線で示したように、アンテナエレメントと、そのアンテナエレメントと近接するアンテナエレメントとの最短距離となる。尚、本実施形態では、金属ボディ部７もアンテナエレメントとして扱われる。
【００２１】
前記第一エレメント５は、前記第三線条６３に向かって延伸していることが好ましい。このような構造とすることで、前記第一・第二ルートの距離と、第三ルートの距離との違いを出しやすくでき、１ＧＨｚ〜２ＧＨｚの周波数帯において、円偏波の受信帯域幅を改善に寄与することができる。
【００２２】
前記窓ガラス２が前記車両に設置された際には、前記芯線側給電部３と前記アース側給電部４とは、これらに隣接する金属ボディ部７の縁７１と、前記第三線条６３との間となるように配置される。そして、前記アース側給電部４は、前記車両の金属ボディ部７と前記周波数帯内の任意の電波を共振する位置関係となるように、金属ボディ部７と、アース側給電部４との間の空白部９３が形成されて配置される。前記空白部９３の長さは、前記周波数帯の任意の電波を共振できるように、例えば、５ｍｍ〜λ(1)×０．５の範囲内で調整することができる。また、円偏波の受信感度向上の観点から、前記第三線条６３は、芯線側給電部３とアース側給電部４に隣接する金属ボディ部７の縁７１と平行、又は略平行の関係となるように配置されることが好ましい。
【００２３】
前記アース側給電部４と、前記芯線側給電部３とは、これら給電部に接続されるコネクターの形状に応じて、その距離や、大きさが設定され、例えば、前記距離は、５ｍｍ〜３０ｍｍとしてもよいし、前記大きさは、２５ｍｍ2〜３６０ｍｍ2としてもよい。また、芯線側給電部３と隣接する金属ボディ部７の縁７１と、芯線側給電部３との距離は、前記空白部９３と同じとしてもよい。
【００２４】
また、図１の例では、前記第一線条６１の、前記第三線条６３と離隔する側の第一先端６１１と、前記第二線条６２の、前記第三線条６３と離隔する側の第二先端６２１とは、前記窓ガラス２が前記車両に設置された際に、前記金属ボディ部７と前記周波数帯の電波を共振する位置関係となるように、前記金属ボディ部の縁７１と、前記車両用窓ガラスの面内方向に空白部を介して配置されている。前記第一先端６１１と前記金属ボディ部７の縁７１との間の空白部９１、前記第二先端６２１と前記金属ボディ部７の縁７１との間の空白部９２のそれぞれの長さは、前記周波数帯の電波を共振できるように、５ｍｍ〜λ(1)の範囲内で調整することができる。前記第二先端が、前記金属ボディ部の縁と、前記車両用窓ガラスの面内方向に空白部を設けない位置に配置される場合は、前記車両用窓ガラス２と、前記金属ボディ部７との間には間隔があり、前記間隔に基づいて前記周波数帯の電波が共振される。この間隔は、例えば、３〜７ｍｍで設定される。
【００２５】
前記ガラスアンテナ１は、前記芯線側給電部３から延伸する第二エレメント８を備えていることが好ましい。前記第二エレメントは、前記無給電素子と、前記金属ボディ部とは、前記周波数帯の電波を共振しない位置関係に設定され、その形状としては、直線状のもの、L字状のものなどを例示することがでる。前記第二エレメント８を備えることで、受信帯域の微調整を行うことができ、例えば、その長さは、５ｍｍ〜５０ｍｍ内で調整することができる。
【００２６】
前記無給電エレメント６において、
前記第一線線条６１と前記三線条６３とが接続する第一接続点６１２と、前記第二線線条６２と前記三線条６３とが接続する第二接続点６２２との最短距離（ＩＩＩ）が（０．５×λ(2)×α）×Ａの±２５％であり、
前記第一接続点６１２と前記金属ボディ部の縁７１との最短距離（Ｉ）と、前記第二接続点６２２と前記金属ボディ部の縁７１との最短距離（ＩＩ）は、（０．２５×λ(2)×α）〜（０．５×λ(1)×α）である
（ここで、λ(2)は、前記周波数帯内の自由空間内の任意波長で、λ(1)＞λ(2)、Ａは１〜３のいずれかの整数である）
ことが好ましい。前記無給電エレメント６の各エレメントの長さや、金属ボディ部７の縁７１との位置関係を、これら条件内とすることで、前記ガラスアンテナ１の外観形状と、１ＧＨｚ〜２ＧＨｚの周波数帯において、円偏波の受信帯域幅の改善を図りやすくなる。
【００２７】
また、前記第一接続点６１２と、前記第二接続点６２２との最短距離（ＩＩＩ）と、前記第一接続点６１２と前記金属ボディ部７の縁７１との最短距離（Ｉ）と、前記第二接続点６２２と前記金属ボディ部７の縁７１との最短距離（ＩＩ）との関係は、（Ｉ）＋（ＩＩ）＞（ＩＩＩ）であることが好ましい。このような関係とすることで、ガラスアンテナ１で生じる、円形状の電磁場フィールドの長軸の長さと、短軸の長さとを近いものとでき、円偏波の受信感度向上を図りやすくできる。
【００２８】
またさらに、前記無給電エレメント６は、図３に示された無給電エレメントの派生例のように、前記第一線条６１、第二線条６２、第三線条６３内に、少なくとも一つの屈曲した迂回線条６４を備えることが好ましい。これによって、円偏波の受信帯域幅の改善を図りやすくなる。
【００２９】
前記無給電エレメント６が、前記迂回線状６４を備える場合、外観の改善の観点から、前記迂回線状６４は、第一線条６１、第二線条６２、第三線条６３のいずれかの始点となる線状と直交する方向で、且つ前記無給電エレメント６で給電部３、４を囲んでいる側に迂回することが好ましい。
【００３０】
そして、前記迂回線条の始点９５１と終点９５２（接続点６１２、６２２に近い方を始点とする）は、前記第一接続点と、前記第二接続点との最短距離（ＩＩＩ）と、前記第一接続点と前記第一先端との最短距離（Ｉ’）と、前記第二接続点と前記第二先端との最短距離（ＩＩ’）ルート上にあり、前記迂回線条６４の始点９５１と、終点９５２とは、最短距離において、前記周波数帯の電波を共振できる位置関係にあることが好ましい。この最短距離における間隔９５の長さは、１ｍｍ〜λ(1)×０．５×αの範囲内で調整することができる。前記無給電エレメント６が、このような構造を備えると、受信帯域の幅を広げることができる。また、接続点６１２、６２２と、始点９５１との距離は外観の観点から近接していることが好ましく、例えば、その距離は、３ｍｍ〜２０ｍｍ内で調整してもよい。
【００３１】
前述の各エレメントや、各給電部は、車両用窓ガラス２面上に、導電性のセラミックペーストなどによって形成することができる。前記セラミックペーストは、スクリーン印刷などによってガラス面上にパターンを伴って塗布され、その後、加熱炉などで焼き付けられて、前記パターンがガラスアンテナのパターンとしてガラス面上に定着される。また、その他に、アンテナエレメントが形成された、光透過性の樹脂フィルムがガラス面上に貼付されてもよい。ガラスアンテナのエレメント中、線状のエレメントの線幅は、０．５ｍｍ〜１ｍｍ程度で調整されてもよい。
【００３２】
また、ガラスアンテナのいずれかのエレメントや、各エレメントは、車両用窓ガラス２の周縁部の黒枠上に形成されていてもよい。
【００３３】
車両用窓ガラス２は、湾曲した、台形状又は矩形状のガラス板が使用される。ガラス板は、単板ガラス、合せガラスのどちらでもよく、また、ガラス板は、強化ガラス、非強化ガラスのどちらでもよい。前記ガラス板２としては、車両用のガラス板として汎用されている、フロ−ト法で製造された、ＩＳＯ１６２９３−１で規定されているようなソーダ石灰ケイ酸塩ガラスからなるガラス板を使用でき、無色のもの、着色されたものが使用される。
【実施例】
【００３４】
［実施例１］
図１に示されたガラスアンテナ１を準備した。本実施例において、各エレメントの大きさなどは以下のとおりとした。
＜芯線側のエレメント＞
・芯線側給電部３の大きさ：１２ｍｍ×１０ｍｍ
・第二エレメント８：５ｍｍの直線
＜アース側のエレメント＞
・アース側給電部４の大きさ：１２ｍｍ×１０ｍｍ
芯線側給電部３と、アース側給電部４とは、金属ボディ部７の縁７１に対して平行の位置関係を維持して配置された。
・空白部９３の長さ：１０ｍｍ
・第一エレメント５：
無給電エレメント６の第三エレメント６３に対して４５度の角度を形成するように延伸し、その長さを２７ｍｍとした。
・空白部９４の長さ：４ｍｍ
＜無給電エレメント＞
・第一線条６１：長さ２５ｍｍの直線
・第二線条６２：長さ２５ｍｍの直線
・第三線条６３：長さ８０ｍｍの直線
第一線条６１と、第二線条６２とは平行に位置し、第三線条６３と、金属ボディ部７の縁７１とは平行に位置し、第一、第二、第三線条とで芯線側給電部３とアース側給電部４を囲むコ字状のエレメントが形成された。
これより、第一接続点６１２と第二接続点６２２との最短距離は８０ｍｍとなる。
・空白部９１の長さ：２０ｍｍ
これより、第一接続点６１２と金属ボディ部７の縁７１との最短距離は４５ｍｍとなる。
・空白部９２の長さ：２０ｍｍ
これより、第二接続点６２２と金属ボディ部７の縁７１との最短距離は４５ｍｍとなる。【００３５】
［実施例２］
第二線条６２の長さを４５ｍｍとし、空白部９２を設けなかったことを除き、他は実施例１と同じ構造のガラスアンテナを準備した。【００３６】
［実施例３］
無給電エレメント６を、図３に示された派生例とし、第一線条６１及び第二線条６２を３５ｍｍとした以外は、実施例１と同じパターンのガラスアンテナを準備した。本実施例での無給電エレメント６の迂回線条６４の間隔９５の長さ、位置などは図４に示すとおりとした。【００３７】
［比較例１］
第一エレメント５の長さを３３ｍｍとし、空白部９４を設けなかったことを除き、他は実施例１と同じ構造のガラスアンテナを準備した。【００３８】
［比較例２］
第一線条６１の長さを４５ｍｍとし、空白部９１を設けなかったことを除き、他は実施例１と同じ構造のガラスアンテナを準備した。【００３９】
［比較例３］
第一線条６１の長さ及び第二線条６２の長さを共に４５ｍｍとし、空白部９１及び空白部９２を設けなかったことを除き、他は実施例１と同じ構造のガラスアンテナを準備した。【００４０】
［各実施例、各比較例の結果］
各実施例、各比較例の、１ＧＨｚ〜２ＧＨｚ帯で受信した偏波の軸比が図５〜７に示された。軸比が４ｄＢ以下で受信した帯域幅が０．２５ＧＨｚ以上で、その帯域内に軸比が２ｄＢ以下となる帯域を備えている帯域を見ると、実施例１では、４ｄＢ以下の帯域が１．５４ＧＨｚ〜１．９ＧＨｚ帯、２ｄＢ以下の帯域が１．６１ＧＨｚ〜１．８５ＧＨｚ帯、実施例２では、４ｄＢ以下の帯域が１．４６ＧＨｚ〜１．８８ＧＨｚ帯、２ｄＢ以下の帯域が１．５４ＧＨｚ〜１．８ＧＨｚ帯、実施例３では、４ｄＢ以下の帯域が１．４６ＧＨｚ〜１．７２ＧＨｚ、２ｄＢ以下の帯域が１．４９ＧＨｚ〜１．５４ＧＨｚ帯に見られた。これに対して、各比較例では、比が４ｄＢ以下で受信した帯域幅が０．２５ＧＨｚ以上で、その帯域内に軸比が２ｄＢ以下となる帯域を備えているものはなかった。さらには、１．５７５ＧＨｚ帯の円偏波に対して、最大放射方向での実施例１の利得は１．２ｄＢｉｃ、実施例３の利得は１．７ｄＢｉｃであった。【００４１】
本発明の実施形態に係るガラスアンテナは、１ＧＨｚ〜２ＧＨｚの周波数帯において、円偏波の受信帯域幅を改善することがわかる。
【符号の説明】
【００４２】
１：  ガラスアンテナ
２：  車両用窓ガラス
３：  芯線側給電部
４：  アース側給電部
５：  第一エレメント
６：  無給電エレメント
６１：  第一線条
６１１：  第一先端
６１２：  第一接続点
６２：  第二線条
６２１：  第二先端
６２２：  第二接続点
６３：  第三線条
６４：  迂回線条
７：  金属ボディ部
８：  第二エレメント
９１：  第一空白部
９２：  第二空白部
９３：  第三空白部
９４：  第四空白部
【図１】
2019225321.tif 000003
【図２】
2019225321.tif 000004
【図３】
2019225321.tif 000005
【図４】
2019225321.tif 000006
【図５】
2019225321.tif 000007
【図６】
2019225321.tif 000008
【図７】
2019225321.tif 000009
【国際調査報告】
2019225321.tif 000010
2019225321.tif 000011